(57)【要約】【課題】レイヤ２をも統合した伝送装置１０２と接続されたネットワーク管理装置１０３において、レイヤ２に関する回線設定パラメータが多く、保守者の入力に時間が必要である。また、入力ミス削減など運用コストを低減する。【解決手段】レイヤ１の回線設定情報８０１から、予め設定する回線設定用の共通パラメータテーブル８００を参照し、レイヤ２の回線設定情報（８０２〜８０５）を自動設定するオペレーションシステム１０３により、上述した問題点を解消する。【選択図】図６
2008311843.tif 000002
【特許請求の範囲】
【請求項１】
ネットワークを介して複数のレイヤ統合伝送装置と接続され、これらのレイヤ統合伝送装置間の回線設定を実施するネットワーク管理装置において、
入力された第１の回線情報に基づいて、予め保持した第１の回線情報と第２の回線情報との対応テーブルを参照して、第２の回線情報を設定することを特徴とするネットワーク管理装置。
【請求項２】
請求項１に記載のネットワーク管理装置であって、
前記第１の回線情報は、回線種別であることを特徴とするネットワーク管理装置。
【請求項３】
請求項１に記載のネットワーク管理装置であって、
前記第２の回線情報は、優先度、保障帯域、ＶＬＡＮのＩＰアドレスのいずれか一つを含むことを特徴とするネットワーク管理装置。
【請求項４】
ネットワークを介して複数のレイヤ統合伝送装置と接続され、これらのレイヤ統合伝送装置間の回線設定を実施するネットワーク管理装置における初期データの設定方法であって、
入力された第１の回線情報に基づいて、予め保持した第１の回線情報と第２の回線情報との対応テーブルを参照して、優先度情報と保障帯域情報とを設定することを特徴とする初期データの設定方法。
【請求項５】
請求項４に記載の初期データの設定方法であって、
前記対応テーブルを参照して、ＶＬＡＮのＩＰアドレスを設定することを特徴とする初期データの設定方法。
【発明の詳細な説明】
【技術分野】
【０００１】
本発明はネットワーク管理装置およびその初期データの設定方法に係り、特にレイヤ２の設定情報を保持する伝送装置から構成されたネットワークの管理装置およびその初期データの設定方法に関する。
【背景技術】
【０００２】
電話網に加え、携帯電話、インターネットの普及により、それらのサービスを実現するネットワークはさまざまな形で実現されている。これらの通信ネットワークにおいて、インフラストラクチャとして適用される基幹ネットワークの多くは、ＩＳＯにより制定されたＯＳＩ（Open System Interconnection）参照モデルに基づき、各レイヤの特性・機能を踏まえた装置群、すなわちレイヤ１装置、レイヤ２装置、レイヤ３装置などの組み合わせにて構成されている。
【０００３】
近年、そのようなネットワーク装置ベンダ、通信サービスを提供するキャリアをはじめとする研究者の間で、装置間のインタフェースを策定することで、レイヤ１およびレイヤ２間がシームレスになるようなレイヤ１・レイヤ２統合装置も研究されている。これらのレイヤ１・レイヤ２統合装置は、ＭＳＰＰ（MultiService Provisioning Platform）と称して、ネットワーク装置ベンダから発表されている。レイヤ１・レイヤ２統合装置の開発は、レイヤ２装置からのアプローチと、レイヤ１装置からのアプローチとがある。非特許文献１および非特許文献２は、前者のアプローチにおいて、初期設定を容易にする装置を記載している。
【０００４】
【非特許文献１】”Cisco ONS 15454 SONET MSPP”、[online]、Ｃｉｓｃｏ、[平成１９年５月３日検索]、インターネット＜ＵＲＬ：http://www.cisco.com/japanese/warp/public/3/jp/product/hs/optical/ons15454/sonetmpp/index.shtml＞
【非特許文献２】”Cisco Transport Manager 5.0 データシート”、[online]、Ｃｉｓｃｏ、[平成１９年５月３日検索]、インターネット＜URL:http://www.cisco.com/japanese/warp/public/3/jp/product/hs/netmgt/ctm/prodlit/ctm50_ds.shtml＞
【発明の開示】
【発明が解決しようとする課題】
【０００５】
通信事業者用の基幹ネットワークなどにおいては、前述のレイヤ１装置、レイヤ２装置などのように、通信処理のレイヤに応じた製品機器によりネットワークが構成されていた。しかし、近年、前述したレイヤ間機能を搭載した製品が開発されつつある。この背景には、通信サービスの多様化、低価格化から、通信機器へのコスト低減要求が今まで以上になされる状況がある。レイヤ間機能の統合機器には、装置統合によるコストメリット（Ｃａｐｅｘ：Capital Expenditure）と、レイヤ１装置とレイヤ２装置を統合することによる管理費提言（Ｏｐｅｘ：Operation Expenditure）とを目的としている。
【０００６】
しかし、このレイヤ統合により、装置に設定するパラメータは増える傾向にある。例えばレイヤ１およびレイヤ２の装置を統合した装置の場合、それぞれのパラメータを設定する必要がある。現在考えられるパラメータの設定方法は、装置を管理するオペレーションシステム（ＯｐＳ）のＧＵＩなどから、保守運用者が必要なパラメータを設定するものである。
【０００７】
ここで、レイヤ２のパラメータに関しては、レイヤ１と比較して数多く存在する。このため、レイヤ２のパラメータ設定に人的ミスの虞が大である。この問題は、レイヤ統合による管理費低減（Ｏｐｅｘ）の課題の一つとなっている。
【０００８】
したがって、実際にレイヤ統合装置を使っているユーザから、より簡素かつ人的ミスを低減するような設定方法・管理システムが望まれている。
【課題を解決するための手段】
【０００９】
上述した課題は、ネットワークを介して複数のレイヤ統合伝送装置と接続され、これらのレイヤ統合伝送装置間の回線設定を実施し、入力された第１の回線情報に基づいて、予め保持した第１の回線情報と第２の回線情報との対応テーブルを参照して、第２の回線情報を設定するネットワーク管理装置により、達成できる。
【００１０】
また、ネットワークを介して複数のレイヤ統合伝送装置と接続され、これらのレイヤ統合伝送装置間の回線設定を実施するネットワーク管理装置において、入力された第１の回線情報に基づいて、予め保持した第１の回線情報と第２の回線情報との対応テーブルを参照して、優先度情報と保障帯域情報とを設定する初期データの設定方法により、達成できる。
【発明の効果】
【００１１】
本発明により、レイヤ２を統合した伝送装置のネットワークシステムの保守管理を容易とすることができる。
【発明を実施するための最良の形態】
【００１２】
以下本発明の実施の形態について、実施例を用い図１ないし図８を参照しながら説明する。なお、同一部分には同じ参照番号を振り、説明は繰り返さない。ここで、図１はネットワークの構成を説明するブロック図である。図２は伝送装置の機能ブロック図である。図３は管理システムの機能ブロック図である。図４はデータベースの構成を説明する図である。図５および図６は回線設定を説明する図である。図７は共通設定テーブルを説明する図である。図８は自動設定の処理フローを説明する図である。
【００１３】
図１において、ネットワークシステム１０００は、６台の伝送装置１０２で構成されるリングネットワーク１０１と、伝送装置１０２に接続されたＡＴＭ網１０６とイーサ網１０７とＳＴＭ網１１０とＭＰＬＳ網１１１と、伝送装置１０２にＤＣＮ（Data Communication Network）１０５を介して接続されたネットワーク管理装置（ＯｐＳ）１０３とから構成されている。なお、ＯｐＳ１０３はＧＵＩ１０４を実装している。
【００１４】
具体的には、伝送装置１０２−１にはＡＴＭ網１０６−１接続され、伝送装置１０２−２にはイーサ網１０７−１が接続されている。伝送装置１０２−３にはＳＴＭ網１１０−１が接続され、伝送装置１０２−４にはＭＰＬＳ網１１１−１が接続されている。さらに、伝送装置１０２−５にはイーサ網１０７−２が接続され、伝送装置１０２−６にはＳＴＭ網１１０−２とＭＰＬＳ網１１１−２が接続されている。
【００１５】
伝送装置１０２は、レイヤ１信号処理機能とレイヤ２信号処理機能とを統合した伝送装置である。ネットワーク１０１は、伝送装置１０２を相互にノード間インタフェースＮＮＩ（Network Node Interface）１０９を介して、接続した構成である。また、伝送装置１０２は、ユーザインターフェースＵＮＩ（User Node Interface）１０８を介してクライアント装置と接続している。
【００１６】
伝送装置１０２と接続されたＡＴＭ網１０６、イーサ網１０７、ＳＴＭ網１１０、ＭＰＬＳ網１１１は、各種サービスを収容する。
なお、上述した実施例のネットワークシステム１０００内の伝送装置１０２のネットワーク１０１は、リングネットワークである。ネットワークシステム１０００のトポロジーは、リニア型、メッシュ型等も取りうる。
【００１７】
図２を参照して、伝送装置の構成を説明する。図２において、伝送装置１０２は、クライアント装置と接続された複数の信号処理部２０５と、他の伝送装置１０２と接続された２台の波長多重信号送受信部２０２と、信号処理部２０５と波長多重信号送受信部２０２に接続された波長多重・分離部２０３と、各機能ブロックと接続され全体制御を実施する監視制御部２０１とから構成される。
【００１８】
信号処理部２０５は、ＵＮＩ信号処理部２０９と、Ｌ１処理部２０８と、Ｌ２処理部２０７と、波長変換部２０６とから構成される。また、監視制御部２０１は、ネットワーク管理網（ＤＣＮ）１０５を介して、ＯｐＳ１０３と接続される。
【００１９】
波長多重・分離部２０３は、信号処理部２０５から入力された光信号を波長多重し（Ａｄｄ）、波長多重信号送受信部２０２へと出力する。また、波長多重・分離部２０３は、波長多重信号送受信部２０２から入力された光信号から、信号処理部２０５に対応した波長の光信号を分離し（Ｄｒｏｐ）、当該信号処理部２０５へと出力する。
【００２０】
ＵＮＩ信号処理部２０９は、ユーザ回線を収容する。Ｌ１処理部２０８はレイヤ１処理を、Ｌ２処理部２０７はレイヤ２処理を実施する。波長変換部２０６はクライアント信号の波長と、波長多重・分離部に見せる波長との間の波長変換を実施する。なお、伝送装置１０２は、波長多重・分離部２０３で、多重または分離可能な波長数分の信号処理部２０５を有する。
【００２１】
図３を参照して、ネットワーク管理装置（ＯｐＳ）を説明する。図３において、ＯｐＳ１０３はＤＣＮ１０５とＧＵＩを表示する表示部１０４と接続された制御部３０１と、記憶領域３０２と、初期値自動設定処理部３０３とから構成される。また、記憶領域３０２には、実装情報管理用データベース３０４と、警報情報管理用データベース３０５と、状態情報管理用データベース３０６と、ユーザ情報管理用データベース３０７と、回線情報管理用データベース３０８と、障害情報管理用データベース３０９と、回線初期値設定用データベース３１０とから構成される。制御部３０１は、ネットワーク１０１を構成する複数の伝送装置１０２の情報を管理する。初期値自動設定処理部３０３は、回線パラメータを管理し、回線設定時に回線パラメータに応じた初期設定を実施する。
【００２２】
図４を参照して、回線初期値設定用データベースの構成を説明する。回線初期値設定用データベース３１０は、回線ＩＤ４０２ごとにユーザ情報４０３と、装置情報４０４と、回線情報４０５とから構成される。ユーザ情報４０３は、ユーザ名４０３１、ユーザ管理番号４０３２等から構成される。また、装置情報４０４は、実装情報４０４１と、障害情報４０４２と、状態情報４０４３等から構成される。実装情報４０４１は、ノード情報４０４１１、ポート番号４０４１２、スロット番号４０４１３から構成される。さらに、回線情報４０５は、回線種別４０５１と、回線速度４０５２と、帯域４０５３と、ＶＬＡＮ数４０５４と、優先情報４０５５等から構成される。
【００２３】
図５を参照して、レイヤ１装置の手法をレイヤ統合後に適用した場合の、ＧＵＩを説明する。図５は、ＯｐＳ１０３が伝送装置１０２−２（伝送装置Ａ）と伝送装置１０２−５（伝送装置Ｂ）との間に回線を設定するときの初期設定のＧＵＩ１０４Ａである。拡張されたＧＵＩ１０４Ａは、回線初期値設定用データベース３１０の内容を表示する。しかし、初期状態では、回線ＩＤ４０２、ユーザ情報４０３、装置情報４０４、回線情報４０５等には値が入っていない。レイヤ１装置では、上述した値を全て運用保守者がＧＵＩ画面上で入力していた。しかし、回線種別、回線速度といったレイヤ１の回線情報の入力は数十個なのに対して、帯域、優先順位といったレイヤ２の回線情報の入力は数千個となり、いくらＧＵＩ画面をもちいても入力ミスの虞が極めて大きい。
【００２４】
図６を参照して、回線設定の手順を説明する。図６において、拡張されたＧＵＩ１０４は、回線初期値設定用データベース３１０の内容を表示する。しかし、初期状態では、回線ＩＤ４０２、ユーザ情報４０３、装置情報４０４、回線情報４０５等には値が入っていない。運用保守者がＧＵＩ画面上で、回線ＩＤ４０２、ユーザ情報４０３、装置情報４０４、回線情報４０５のうち回線種別４０５１、回線速度４０５２等のレイヤ１情報を入力すると、ＯｐＳ１０３の初期値自動設定処理部３０３が起動する。初期値自動設定処理部３０３は、入力されたレイヤ１情報と初期値自動設定処理部３０３自身が保持する共通設定テーブルとを参照して、レイヤ２の初期値を自動設定して、保守運用者にＧＵＩ１０４で表示する。
【００２５】
図７を参照して共通設定テーブルを説明する。図７において、共通設定テーブル８００は、縦軸にレイヤ１情報である回線種別（回線速度）８０１、横軸にレイヤ２情報である優先度８０２、保障帯域８０３、ＶＬＡＮ数８０４、ＩＰアドレス固定領域８０５を採った表である。ＳＴＭ−６４に対する優先度８０２は「１」、保障帯域８０３は「１００％」、ＶＬＡＮ数８０４は「０」、ＩＰアドレス固定領域８０５は「なし」である。１０ＧｂＥ（10 Giga bits Ether）に対する優先度８０２は「２」、保障帯域８０３は「Ｂｅｓｔ  Ｅｆｆｏｒｔ」、ＶＬＡＮ数８０４は「１００」、ＩＰアドレス固定領域８０５は「１９２．１００．」である。ＧｂＥ（Giga bits Ether）に対する優先度８０２は「３」、保障帯域８０３は「Ｂｅｓｔ  Ｅｆｆｏｒｔ」、ＶＬＡＮ数８０４は「１００」、ＩＰアドレス固定領域８０５は「１９２．３００．」である。ＦＥ（Fast Ether）に対する優先度８０２は「４」、保障帯域８０３は「Ｂｅｓｔ  Ｅｆｆｏｒｔ」、ＶＬＡＮ数８０４は「１０」、ＩＰアドレス固定領域８０５は「１９２．５００．」である。
【００２６】
図８を参照して、ネットワーク管理装置の初期値自動設定処理部の動作を説明する。初期値自動設定処理部の動作の前段として、保守管理者が次の手順を踏む。保守管理者は、ＧＵＩ画面を参照しながら、設定する伝送装置間の回線ＩＤを付与する。保守管理者は、またＧＵＩ画面を参照しながら、ユーザ情報と装置情報を入力する。保守管理者は、さらにＧＵＩ画面を参照しながら、回線種別と回線速度を入力する。なお、回線種別は回線速度を含んでも良い。また、以下の説明は回線種別として１０ＧｂＥの場合を説明する。
【００２７】
回線種別と回線速度との保守管理者入力が終了すると、図８において、初期値自動設定処理部３０３は、入力された回線種別と回線速度をキーに共通設定テーブルを参照する（Ｓ７０２）。ここでは、回線種別（速度）は１０ＧｂＥなので、初期値自動設定処理部３０３は、優先度は「２」、保障帯域は「Ｂｅｓｔ  Ｅｆｆｏｒｔ」を設定する（Ｓ７０３）。次に初期値自動設定処理部３０３は、１０ＧｂＥのＶＬＡＮ数は１００なので、ＶＬＡＮ番号ごとに、ＩＰアドレス固定領域に続くＩＰアドレスを自動設定して（Ｓ７０４）、終了する。
【００２８】
なお、上述した処理フローでは、優先度と保障帯域、ＶＬＡＮアドレスの順に、回線種別を変えて設定している。しかし、回線種別ごとに、優先度と保障帯域、ＶＬＡＮアドレスを設定しても良い。この場合、回線種別をごとのループとなる。
【００２９】
上述した実施例に拠れば、レイヤ１の回線情報に基づいて、レイヤ２の回線情報を設定することができる。この結果、レイヤ２を統合した伝送装置のネットワークシステムの保守管理を容易とすることができる。
【図面の簡単な説明】
【００３０】
【図１】ネットワークの構成を説明するブロック図である。
【図２】伝送装置の機能ブロック図である。
【図３】ネットワーク管理装置の機能ブロック図である。
【図４】データベースの構成を説明する図である。
【図５】回線設定を説明する図である。
【図６】回線設定を説明する図である。
【図７】共通設定テーブルを説明する図である。
【図８】自動設定の処理フローを説明する図である。
【符号の説明】
【００３１】
１０１…リングネットワーク、１０２…伝送装置、１０３…ネットワーク管理装置（ＯｐＳ）、１０４…表示装置（ＧＵＩ表示装置）、１０５…ＤＣＮ、１０６…ＡＴＭ網、１０７…イーサ網、１０８…ＵＮＩ、１０９…ＮＮＩ、１１０…ＳＴＭ網、１１１…ＭＰＬＳ網、２０１…監視制御部、２０２…波長多重信号送受信部、２０３…波長多重・分離部、２０５…信号処理部、２０６…波長変換部、２０７…Ｌ２処理部、２０８…Ｌ１処理部、２０９…ＵＮＩ処理部、３０１…制御部、３０２…記憶領域、３０３…初期値自動設定処理部、３１０…回線初期値設定用データベース、４０２…回線ＩＤ、４０３…ユーザ情報、４０４…装置情報、４０５…回線情報、８００…共通設定テーブル、１０００…ネットワークシステム。
【図１】
2008311843.tif 000003
【図２】
2008311843.tif 000004
【図３】
2008311843.tif 000005
【図４】
2008311843.tif 000006
【図５】
2008311843.tif 000007
【図６】
2008311843.tif 000008
【図７】
2008311843.tif 000009
【図８】
2008311843.tif 000010